(57)【要約】【課題】遊技機のＲＯＭが不正なものであるか否かをいつでも適正に検査することができ、また、１つの管理機で複数の検査用端末機を管理するようにして、設備コストを低減することができる遊技機の検査装置を提供する。【解決手段】管理機４０と複数の検査用端末機２０とを通信回線で接続し、検査用端末機２０を複数の遊技機１０にそれぞれ対応して配し、遊技機１０と検査用端末機２０との間に配される配線を短くし、ノイズ等の影響を受け難くし、複数の検査用端末機２０を１つの管理機４０でまとめて管理するようにした。ＲＯＭ情報の検査命令と管理機４０が外部から取得したＲＯＭ情報とを管理機４０が検査用端末機２０に送信し、遊技機１０がＲＯＭ情報を検査用端末機２０に送信し、検査用端末機２０が、管理機４０からのＲＯＭ情報と遊技機１０からのＲＯＭ情報とを比較し、比較結果を出力するようにした。【選択図】図１
2004173798.tif 000002
【特許請求の範囲】
【請求項１】
遊技機を制御するためのプログラムデータがＲＯＭに書き込まれており、該プログラムデータを含むＲＯＭ情報を検査するようにした遊技機の検査装置において、
前記ＲＯＭ情報を管理するための管理機と、該管理機に通信回線を介して接続された検査用端末機とを備え、
前記管理機は、ＲＯＭ情報の検査命令と該管理機が外部から取得したＲＯＭ情報とを前記検査用端末機に送信し、
前記検査用端末機は、遊技機に対応して配され、ＲＯＭ情報出力要求手段と、管理機情報記憶手段と、遊技機情報記憶手段と、比較手段と、比較結果出力手段とを備え、
前記ＲＯＭ情報出力要求手段は、前記管理機からの検査命令に基づいて、遊技機に対してＲＯＭ情報の出力を要求し、
前記管理機情報記憶手段は、前記管理機からのＲＯＭ情報を記憶し、
前記遊技機情報記憶手段は、前記遊技機からのＲＯＭ情報を記憶し、
前記比較手段は、前記管理機情報記憶手段に記憶されたＲＯＭ情報と前記遊技機情報記憶手段に記憶されたＲＯＭ情報とを比較し、
前記比較結果出力手段は、前記比較した比較結果を出力する
ことを特徴とする遊技機の検査装置。
【請求項２】
前記検査用端末機は電源遮断手段を備え、
前記電源遮断手段は、前記比較結果出力手段の出力する結果に基づいて、前記遊技機への電源供給を遮断する
ことを特徴とする請求項１に記載の遊技機の検査装置。
【請求項３】
前記検査用端末機は、通信監視手段と再検査手段とを備え、
前記通信監視手段は、前記検査用端末機と前記遊技機との間の通信状態を監視し、
前記再検査手段は、前記通信監視手段によって前記通信状態の異常が検知されたときに、前記遊技機のＲＯＭに関するＲＯＭ情報を再検査する
ことを特徴とする請求項１または２に記載の遊技機の検査装置。
【請求項４】
前記管理機は、比較結果記憶手段と、比較結果送信手段を備え、
前記比較結果記憶手段は、前記検査用端末機からの比較結果を記憶し、
前記比較結果送信手段は、遊技機を管理するための管理コンピュータに前記比較結果を送信する
ことを特徴とする請求項１に記載の遊技機の検査装置。
【請求項５】
前記管理機は入力手段を備え、
前記入力手段は、前記ＲＯＭから前記ＲＯＭ情報を直接的に入力できるように構成されている
ことを特徴とする請求項１に記載の遊技機の検査装置。
【請求項６】
前記ＲＯＭ情報はＲＯＭの製造番号を含み、
前記比較手段は、前記管理機情報記憶手段に記憶されたＲＯＭの製造番号と前記遊技機情報記憶手段に記憶されたＲＯＭの製造番号とが一致した場合に、前記管理機情報記憶手段に記憶されたプログラムデータと前記遊技機情報記憶手段に記憶されたプログラムデータとを比較する
ことを特徴とする請求項１、３または５に記載の遊技機の検査装置。
【請求項７】
遊技機を制御するためのプログラムデータが不揮発性の記憶媒体に書き込まれており、前記プログラムデータを含む記憶媒体情報を検査するようにした遊技機の検査装置において、
前記記憶媒体情報を管理するための管理機と、該管理機に通信回線を介して接続された検査用端末機とを備え、
前記管理機は、記憶媒体情報の検査命令と該管理機が外部から取得した記憶媒体情報とを前記検査用端末機に送信し、
前記検査用端末機は、遊技機に対応して配され、記憶媒体情報出力要求手段と、管理機情報記憶手段と、遊技機情報記憶手段と、比較手段と、比較結果出力手段とを備え、
前記記憶媒体情報出力要求手段は、前記管理機からの検査命令に基づいて、遊技機に対して記憶媒体情報の出力を要求し、
前記管理機情報記憶手段は、前記管理機からの記憶媒体情報を記憶し、
前記遊技機情報記憶手段は、前記遊技機からの記憶媒体情報を記憶し、
前記比較手段は、前記管理機情報記憶手段に記憶された記憶媒体情報と前記遊技機情報記憶手段に記憶された記憶媒体情報とを比較し、
前記比較結果出力手段は、前記比較した比較結果を出力する
ことを特徴とする遊技機の検査装置。
【発明の詳細な説明】
【０００１】
【発明の属する技術分野】
本発明は、遊技機を制御するためのプログラムデータがＲＯＭに書き込まれており、前記プログラムデータを含むＲＯＭ情報を検査するようにした遊技機の検査装置に関するものである。検査対象となるものには、ＲＯＭの他に、電源を遮断しても記憶情報を失わない不揮発性の記憶媒体が含まれる。
【０００２】
【従来の技術】
従来、遊技機を制御するためのプログラムデータは、遊技機製造者によって開発されＲＯＭに記憶される。ＲＯＭに記憶されたプログラムデータが一定の基準に合格しているか否かを、第三者機関が試験、検査する。合格したＲＯＭと同一プログラムデータが記憶されたＲＯＭを実装し、実装された制御基板を搭載した遊技機で遊技を行うことで、遊技を健全なものにしている。また、ＲＯＭには、ＲＯＭの製造者の製造番号が記憶されている。
【０００３】
図６は本発明に係る検査装置と対比される検査装置の基本ブロック図である。図６に示すように、正規のプログラムデータであるＲＯＭ情報がプログラム入力手段２に入力され、検査装置１を制御するための制御用マイクロコンピュータであるＣＰＵ３を介して、メモリー５に保存される。一方、プログラムデータ以外のＲＯＭ情報が、データ入力手段４に入力され、前記検査装置１を制御するＣＰＵ３を介してメモリ６に保存される。ＲＯＭ情報とは、遊技機製造者が開発し第三者機関が試験、検査し合格したＲＯＭと同一プログラムであって、制御用プログラム及び遊技機製造者のＩＤを含む。
【０００４】
遊技機９の制御基板９ａに実装されＲＯＭ９ｂの内部情報を出力させるために、ＣＰＵ３によって、通信インターフェイス３ａと制御基板９ａの通信インターフェイス９ｃを介して、制御基板９ａに実装されたＲＯＭ９ｂにアクセスし、ＲＯＭ情報を通信インターフェイス９ｃと、通信インターフェイス３ａとＣＰＵ３を介してメモリー７に格納する。
【０００５】
メモリー６に保存されたＲＯＭ情報とメモリー７に保存されたＲＯＭ情報とを比較し、比較した結果が異なる場合に、ＣＰＵ３が比較結果出力手段３ｂに比較結果を出力する。比較結果出力手段３ｂは、比較結果を基に外部に報知を行うと共に、遊技機９への電源供給を遮断する。
【０００６】
また、関係試験機関による型式試験に合格した登録プログラムを格納しているデータベースと、多数の遊技機と接続されている検査装置と、を通信回線を介して接続し、当該データベースからの検査命令に従って検査装置が、検査対象とする遊技機を選択し、その遊技機のＲＯＭプログラムとデータベースから伝送された登録プログラムとの照合検査を行うことで遊技機のＲＯＭに記憶させてあるプログラムの適正検査を行うようにしたものがある（特許文献１参照。）。
【０００７】
【特許文献１】
特開平９−２６２３５８号公報
【０００８】
【発明が解決しようとする課題】
しかしながら、第三者機関の試験、検査に合格した同一内容のＲＯＭであっても、ＲＯＭの流通段階や遊技店設置後に、悪意にＲＯＭのプログラムデータを改変し、改変したＲＯＭを搭載した遊技機で景品球を不正に獲得する者があり、遊技店にとって莫大な不利益を蒙るという問題点があった。
【０００９】
また、図６のように全機能を搭載した検査装置１を遊技機９と接続する場合、複数の遊技機９毎にそれぞれ検査装置１を設ける方法と、複数の遊技機９に対して１つの検査装置１を設ける方法とが考えられる。
【００１０】
複数の遊技機９毎に検査装置１をそれぞれ設けると、ＲＯＭ情報を検査するための検査機能と、ＲＯＭ情報などを管理するための管理機能とを備えたコストの高い検査装置になり、その検査装置を遊技機９毎に設ける結果、設備コストが嵩んでしまう。また、例えば、遊技機９を交換する時などは、遊技店の管理者等が新たにＲＯＭ情報を検査装置１毎に入力していく必要があるため、管理工数が多くなって、管理コストも高いものとなってしまう。また、複数の遊技機９に対して１つの検査装置１を設けると、検査装置１に対して近い遊技機９では、検査装置１と遊技機９との間に配される配線が短いことからノイズ等の影響を受け難いが、検査装置１に対して遠い遊技機９では、検査装置１と遊技機９との間に配される配線が長くなることからノイズの影響を受け易く、遊技機９のＲＯＭを検査するときの検査の信頼性に欠くという問題点がある。
【００１１】
さらに、特許文献１の技術では、ＲＯＭプログラムと登録プログラムとの照合のみでは、時差出力でデータを出力するように巧妙に改変されたＲＯＭに対しては適正な試験、検査ができない。また、検査対象である遊技機毎に検査装置を設ける必要があるから、設備コストが嵩むという問題点があった。
【００１２】
本発明は、かかる従来の問題点に鑑みてなされたもので、管理機からのＲＯＭ情報と遊技機からのＲＯＭ情報とを比較するようにして、遊技機のＲＯＭが不正なものであるか否かをいつでも適正に検査することができ、また、１つの管理機で複数の検査用端末機を管理するようにして、設備コストを低減することができる遊技機の検査装置を提供することを目的としている。
【００１３】
【課題を解決するための手段】
かかる目的を達成するための本発明の要旨とするところは、次の各項の発明に存する。
［１］遊技機（１０）を制御するためのプログラムデータがＲＯＭ（１２）に書き込まれており、該プログラムデータを含むＲＯＭ情報を検査するようにした遊技機（１０）の検査装置において、
前記ＲＯＭ情報を管理するための管理機（４０）と、該管理機（４０）に通信回線を介して接続された検査用端末機（２０）とを備え、
前記管理機（４０）は、ＲＯＭ情報の検査命令と該管理機（４０）が外部から取得したＲＯＭ情報とを前記検査用端末機（２０）に送信し、
前記検査用端末機（２０）は、遊技機（１０）に対応して配され、ＲＯＭ情報出力要求手段（２１）と、管理機情報記憶手段（２２、２３）と、遊技機情報記憶手段（２４）と、比較手段（２１）と、比較結果出力手段（２６）とを備え、前記ＲＯＭ情報出力要求手段（２１）は、前記管理機（４０）からの検査命令に基づいて、遊技機（１０）に対してＲＯＭ情報の出力を要求し、
前記管理機情報記憶手段（２２、２３）は、前記管理機（４０）からのＲＯＭ情報を記憶し、
前記遊技機情報記憶手段（２４）は、前記遊技機（１０）からのＲＯＭ情報を記憶し、
前記比較手段（２１）は、前記管理機情報記憶手段（２２、２３）に記憶されたＲＯＭ情報と前記遊技機情報記憶手段（２４）に記憶されたＲＯＭ情報とを比較し、
前記比較結果出力手段（２６）は、前記比較した比較結果を出力する
ことを特徴とする遊技機（１０）の検査装置。
【００１４】
［２］前記検査用端末機（２０）は電源遮断手段（２７）を備え、
前記電源遮断手段（２７）は、前記比較結果出力手段（２６）の出力する結果に基づいて、前記遊技機（１０）への電源供給を遮断する
ことを特徴とする［１］に記載の遊技機（１０）の検査装置。
【００１５】
［３］前記検査用端末機（２０）は、通信監視手段（２８）と再検査手段（２１）とを備え、
前記通信監視手段（２８）は、前記検査用端末機（２０）と前記遊技機（１０）との間の通信状態を監視し、
前記再検査手段（２１）は、前記通信監視手段（２８）によって前記通信状態の異常が検知されたときに、前記遊技機（１０）のＲＯＭ（１２）に関するＲＯＭ情報を再検査する
ことを特徴とする［１］または［２］に記載の遊技機（１０）の検査装置。
【００１６】
［４］前記管理機（４０）は、比較結果記憶手段（４４）と、比較結果送信手段（４８）を備え、
前記比較結果記憶手段（４４）は、前記検査用端末機（２０）からの比較結果を記憶し、
前記比較結果送信手段（４８）は、遊技機（１０）を管理するための管理コンピュータ（１００）に前記比較結果を送信する
ことを特徴とする［１］に記載の遊技機（１０）の検査装置。
【００１７】
［５］前記管理機（４０）は入力手段（４５、４６）を備え
前記入力手段（４５、４６）は、前記ＲＯＭから前記ＲＯＭ情報を直接的に入力できるように構成されている
ことを特徴とする［１］に記載の遊技機（１０）の検査装置。
【００１８】
［６］前記ＲＯＭ情報はＲＯＭの製造番号を含み、
前記比較手段（２１）は、前記管理機情報記憶手段（２２、２３）に記憶されたＲＯＭの製造番号と前記遊技機情報記憶手段（２４）に記憶されたＲＯＭの製造番号とが一致した場合に、前記管理機情報記憶手段（２２、２３）に記憶されたプログラムデータと前記遊技機情報記憶手段（２４）に記憶されたプログラムデータとを比較する
ことを特徴とする［１］、［３］または［５］に記載の遊技機（１０）の検査装置。
【００１９】
［７］遊技機（１０）を制御するためのプログラムデータが不揮発性の記憶媒体（１２）に書き込まれており、前記プログラムデータを含む記憶媒体情報を検査するようにした遊技機（１０）の検査装置において、
前記記憶媒体情報を管理するための管理機（４０）と、該管理機（４０）に通信回線を介して接続された検査用端末機（２０）とを備え、
前記管理機（４０）は、記憶媒体情報の検査命令と該管理機（４０）が外部から取得した記憶媒体情報とを前記検査用端末機（２０）に送信し、
前記検査用端末機（２０）は、遊技機（１０）に対応して配され、記憶媒体情報出力要求手段（２１）と、管理機情報記憶手段（２２、２３）と、遊技機情報記憶手段（２４）と、比較手段（２１）と、比較結果出力手段（２６）とを備え、
前記記憶媒体情報出力要求手段（２１）は、前記管理機（４０）からの検査命令に基づいて、遊技機（１０）に対して記憶媒体情報の出力を要求し、
前記管理機情報記憶手段（２２、２３）は、前記管理機（４０）からの記憶媒体情報を記憶し、
前記遊技機情報記憶手段（２４）は、前記遊技機（１０）からの記憶媒体情報を記憶し、
前記比較手段（２１）は、前記管理機情報記憶手段（２２、２３）に記憶された記憶媒体情報と前記遊技機情報記憶手段（２４）に記憶された記憶媒体情報とを比較し、
前記比較結果出力手段（２６）は、前記比較した比較結果を出力する
ことを特徴とする遊技機（１０）の検査装置。
【００２０】
次に作用を説明する。
管理機（４０）は例えば遊技機島（１０ａ）の島端に配され、検査用端末機（２０）は遊技機島（１０ａ）を構成する複数の遊技機（１０）にそれぞれ対応して配されている。管理機（４０）と複数の検査用端末機（２０）とは通信回線で接続されている。ＲＯＭの製造番号、ＲＯＭに記録されたプログラムデータを含むＲＯＭ情報を管理すると共に、各検査用端末機（２０）を管理するものである。検査用端末機（２０）は、実際にＲＯＭ情報を検査するものである。
【００２１】
複数の遊技機（１０）に検査用端末機（２０）をそれぞれ対応して配したので、遊技機（１０）と検査用端末機（２０）との間に配される配線が短くなるから、ノイズ等の影響を受け難くなり、遊技機（１０）のＲＯＭ（１２）を適正に検査することができる。また、複数の検査用端末機（２０）を１つの管理機（４０）でまとめて管理するようにしたので、複数の検査用端末機（２０）毎に管理機（４０）を設ける必要がなく、設備コストを低減することができる。
【００２２】
遊技店の営業中であっても、次のようにＲＯＭ情報の検査が可能である。すなわち、管理機（４０）は、ＲＯＭ情報の検査命令と管理機（４０）が外部から取得したＲＯＭ情報とを検査用端末機（２０）に送信する。ＲＯＭ情報の検査命令が送信されると、検査用端末機（２０）は、遊技機（１０）に要求信号を送信し、それにより、遊技機（１０）からＲＯＭ情報が検査用端末機（２０）に送信される。検査用端末機（２０）は、管理機情報記憶手段（２２、２３）に管理機（４０）からのＲＯＭ情報を記憶し、遊技機情報記憶手段（２４）に遊技機（１０）からのＲＯＭ情報を記憶する。次に、ＣＰＵである比較手段（２１）は、管理機情報記憶手段（２２、２３）に記憶されたＲＯＭ情報と遊技機情報記憶手段（２４）に記憶されたＲＯＭ情報とを比較し、比較結果出力手段（２６）は、比較した比較結果を出力するようになっている。管理機情報記憶手段（２２、２３）は、営業中ＲＯＭ情報を記憶しているので、遊技機（１０）からのＲＯＭ情報を入力検査するだけの作業となり短時間検査が可能となる。
【００２３】
このように、遊技店の営業中であっても、管理機（４０）からのＲＯＭ情報と遊技機（１０）からのＲＯＭ情報とを比較するようにしたので、遊技機（１０）のＲＯＭ（１２）が正規なものであるか否かをいつでも適正に検査することができる。また、管理機（４０）が複数の検査用端末機（２０）に自動的にＲＯＭ情報を入力していくので、管理者等が検査用端末機（２０）毎にＲＯＭ情報を入力していく必要がなく、管理工数が減って、管理コストを低減することができる。
【００２４】
また、比較手段（２１）がＲＯＭ情報を比較した結果、ＲＯＭ情報が一致しないで、不正なＲＯＭ（１２）を発見した場合、電源遮断手段（２７）によって遊技機（１０）への電源供給が遮断される。それにより、遊技者や遊技店の不利益となる事態に迅速に対処することができる。電源スイッチは検査用端末機（２０）内にあってもよく、また、遊技機（１０）内にあってもよい。いずれにあっても、その電源スッチは、電源遮断手段（２７）によって制御される。
【００２５】
さらに、通信監視手段（２８）と再検査手段（２１）を有することで、検査用端末機（２０）と遊技機（１０）との間の通信状態を監視し、例えば、営業時間内に故意にＲＯＭ（１２）や制御基板を交換された場合などに迅速に反応し、再検査手段（２１）によって、ＲＯＭ（１２）の再検査を行うことで、不正なＲＯＭ（１２）の検出を強化することができる。
【００２６】
さらに、一般的に、管理機（４０）は遊技機島（１０ａ）毎に設置され、その遊技機島（１０ａ）に属する遊技機（１０）のＲＯＭ情報の比較結果を管理機（４０）から管理コンピュータ（１００）に送信するようにしたので、管理コンピュータ（１００）は、全ての管理機（４０）から遊技機（１０）のＲＯＭ情報の比較結果を受信することで、遊技店内の遊技機（１０）全部のＲＯＭを管理することができる。
【００２７】
さらに、本検査装置を用いて、ＲＯＭから管理機（４０）のデータ入力手段（４５、４６）にＲＯＭ情報を直接的に入力できるようにしたので、正規のマスターＲＯＭからＲＯＭ情報を管理機（４０）に入力することができ、管轄警察、その他の第三者機関による検査に準拠したＲＯＭ情報の検査を行うことができ、検査時間を短縮することができる。
【００２８】
さらに、ＲＯＭの製造番号およびＲＯＭに記憶されたプログラムデータをそれぞれ比較するようにしたので、より精度の高いＲＯＭ情報の検査をすることができる。比較すべきＲＯＭ情報には、ＲＯＭの製造番号、ＲＯＭのプログラムデータの他にＲＯＭのＩＤを含むようにしてもよい。
さらに、検査対象となるものは、ＲＯＭなどの半導体メモリーの他に、ＣＣＤメモリー、遅延線メモリー、ブラウン管メモリー、コアメモリー、ワイヤメモリー、磁気バルブメモリーなどの、電源を遮断しても記憶情報を失わない不揮発性の記憶媒体が含まれる。
【００２９】
【発明の実施の形態】
次に、各図に基づいて本発明の実施の形態を説明する。
図１〜図５は、本発明の一実施の形態を示している。
図１は本発明の一実施の形態に係る検査装置のシステムブロック図、図２は検査用端末機のブロック図、図３は管理機のブロック図である。
【００３０】
複数の遊技機１０を１列に並べて遊技機島１０ａが形成されている。遊技機１０には制御基板１１が搭載され、制御基板１１にはＲＯＭ１２が実装されている。ＲＯＭ１２に関するＲＯＭ情報には、ＲＯＭの製造番号、ＲＯＭのＩＤおよび、ＲＯＭに記憶されたプログラムデータが含まれている。ここで、ＲＯＭの製造番号とは、ＲＯＭの製造者によってＲＯＭの製造時にＲＯＭに書き込まれるものであり、ＲＯＭのＩＤとは、プログラムデータを開発する遊技機製造者によって、プログラムデータと共にＲＯＭに書き込まれるものである。
【００３１】
図１に示す検査装置は、主に、ＲＯＭ情報を検査する機能を有する検査用端末機２０と、検査用端末機２０を管理すると共にＲＯＭ情報を管理する機能を有する管理機４０とを備えたものである。検査用端末機２０は遊技機島１０ａの複数の遊技機１０に対応してそれぞれ配されている。管理機４０は、遊技機島１０ａの島端に配されている。
【００３２】
図１に示すように、検査装置は、検査用端末機２０と管理機４０とに分割されている。検査用端末機２０と、遊技機１０の制御基板１１の外部入出力インターフェイス部との距離は近づき、両者間の配線が短くなり、ノイズ等の影響を受け難い構成になっている。また、検査用端末機２０と管理機４０との間の通信形態は、ＲＳスタンダード（ＲＳ４８５マルチ・ドロップ・シリアル）の通信を用いることで、ノイズ等の影響を受け難くし、検査用端末機２０と管理機４０間のデータ通信の信頼性を向上させたものである。
【００３３】
図２は、検査用端末機のブロック図である。図２に示すように、検査用端末機２０は、ＲＯＭ情報の検査命令および、ＲＯＭ情報を管理機４０から受信する。管理機情報記憶手段２２は、管理機４０からのＲＯＭ情報（ＲＯＭの製造番号、ＩＤ）を記憶し、管理機情報記憶手段２３は、管理機４０からのＲＯＭ情報（ＲＯＭのプログラムデータ）を記憶する。
【００３４】
ＲＯＭ情報出力要求手段であるＣＰＵ２１は、管理機４０から検査命令を受けると、遊技機１０に対してＲＯＭ情報の出力を要求する。それにより、検査用端末機２０から遊技機１０に対してデータ要求信号が送信される。遊技機１０は、その制御基板１１に実装されたＲＯＭ１２に関するＲＯＭ情報（プログラムデータ、製造番号、ＩＤ）を通信インターフェイス１３、３０を介して検査用端末機２０に送信する。遊技機情報記憶手段２４は、遊技機１０から受信したＲＯＭ情報を記憶する。遊技機情報記憶手段２４は、プログラムデータを記憶するプログラム領域と、プログラムデータ以外の情報を記憶する情報領域に分けて記憶する。
【００３５】
比較手段であるＣＰＵ２１は、管理機情報記憶手段２２に記憶された製造番号、ＩＤと、遊技機情報記憶手段２４に記憶された製造番号、ＩＤとをそれぞれ比較し、製造番号、ＩＤがそれぞれ一致した場合に、管理機情報記憶手段２３に記憶されたプログラムデータと、遊技機情報記憶手段２４に記憶されたプログラムデータとを比較する。ＣＰＵ２１が、ＲＯＭ情報のすべてを比較することで、ＲＯＭ情報の試験、検査の精度性を高くするように成っている。
【００３６】
比較結果出力手段２６は、ＲＯＭ情報を比較した結果を出力する。電源遮断手段２７は、比較した結果が不合格の場合に、遊技機１０へ供給されるＡＣ２４の電源を遮断する。また、検査用端末機２０は、管理機４０へ異常信号を送信する。
【００３７】
検査用端末機２０は、比較した結果が合格の場合に、ＲＯＭの製造番号、ＩＤを、検査用端末機２０の情報（装置番号）、遊技機１０の情報（台番号）及び合格情報と共に通信インターフェイス２９から管理機４０へ送信し、管理機情報記憶手段２３は、一致した情報以外の情報を消去する。また、遊技機情報記憶手段２４に記憶された情報は、すべて消去される。
【００３８】
具体的には、次のようなＲＯＭ情報の検査結果（比較結果）が通信インターフェイス２９から管理機４０へ送信される。検査結果としては、検査用端末機２０の装置番号「１号機」、遊技機１０の台番号「１」、ＲＯＭの製造番号「００００００８」、ＲＯＭのＩＤ「ＡＣＥ００００１」、「合格」であり、また、検査用端末機２０の装置番号「２号機」、遊技機１０の台番号「２」、ＲＯＭの製造番号「００００００１」、ＲＯＭのＩＤ「ＡＣＥ００００２」、「合格」であり、さらに、検査用端末機２０の装置番号「ｎ号機」、遊技機１０の台番号「ｎ」、…〜…、「合格」である。前記検査結果が管理機４０へ送信され、比較結果記憶手段であるメモリー４４に記憶される。
【００３９】
通信監視手段２８は、遊技機の台番号「１」〜「ｎ」までの一連のＲＯＭ情報の検査が終わると、次に、ＲＯＭ情報の検査が開始されるまで、遊技機１０の制御基板１１と検査用端末機２０との間の通信状態を監視する。具体的には、通信監視手段２８は、遊技機１０の制御基板１１への電源供給が遮断されたり、制御基板１１からＲＯＭ自体が取り外されたり、検査用端末機２０と遊技機１０との間の通信線が遮断されたりする通信状態の異常を検知する通信監視モードになる。
【００４０】
再検査手段であるＣＰＵ２１は、通信監視手段２８の検知信号に基づき、遊技機１０のＲＯＭ１２に関するＲＯＭ情報を再度検査する。この場合、管理機情報記憶手段２２、２３には、製造番号、ＩＤ、プログラムデータなどのＲＯＭ情報が記憶されているので、検査用端末機２０は、遊技機１０からＲＯＭ情報を取得するだけで、ＲＯＭ情報を比較することができる。また、検査用端末機２０は、管理機４０からのリセット信号が送信され、あるいは、営業終了時電源がオフされると、管理機情報記憶手段２２、２３からＲＯＭ情報を消去する。
【００４１】
図３は、管理機の内部構成ブロック図である。管理機４０は、正規のＲＯＭのプログラムデータを外部から入力するためのプログラム入力手段４５と、正規なＲＯＭの製造番号、ＩＤを外部から入力するためのデータ入力手段４６とを備えている。プログラム入力手段４５およびデータ入力手段４６は、所轄警察による検査に対応させるために、ＲＯＭからＲＯＭ情報を直接入力することが可能なものである。
【００４２】
メモリー４２には正規なＲＯＭのプログラムデータが記憶され、メモリー４３には正規なＲＯＭの製造番号、ＩＤが記憶される。ＣＰＵ４１は、検査用端末機２０に対して検査命令を通信インターフェイス４９を介し送信する。ＣＰＵ４１は、メモリー４２、４３から正規なＲＯＭのプログラムデータ、製造番号、ＩＤを通信インターフェイス４９を介し各検査用端末機２０に送信する。
【００４３】
管理機４０は、検査用端末機２０によるＲＯＭ情報の検査が終わると、その一定時間後に、各検査用端末機２０に対して比較結果請求信号を送り、メモリー４４には、各検査用端末機２０から送られた比較結果が検査用端末機２０ごとに記憶される。
【００４４】
比較結果出力手段４７は、ＲＯＭ情報の検査結果が不合格である場合に、ＲＯＭ情報の検査結果を比較結果送信手段４８を介して管理コンピュータ１００に出力する。また、比較結果出力手段４７はＲＯＭ情報の検査結果を報知機２００に出力する。さらに、表示装置５１は、ＲＯＭ情報の検査結果を出力する。またＲＯＭには、それぞれ違う製造番号が記憶されているので同じ製造番号がある場合でも同様に不合格として報知する。
【００４５】
メモリー４４は、２回目以降にＲＯＭ情報を比較するために使用される。２回目以降にＲＯＭ情報を比較する場合に、例えば、１号機の検査用端末機２０に対し、検査用端末機２０の装置番号「１号機」、遊技機１０の台番号「１」、ＲＯＭの製造番号「００００００８」、ＲＯＭのＩＤ「ＡＣＥ００００１」のように送信し、次に、２号機の検査用端末機２０に対し、検査用端末機２０の装置番号「２号機」、遊技機１０の台番号「２」、ＲＯＭの製造番号「００００００１」、ＲＯＭのＩＤ「ＡＣＥ００００２」のように送信する。このように、１号機〜ｎ号機の検査用端末機２０の順に、装置番号、台番号、ＲＯＭ情報をそれぞれ送信してから、１号機〜ｎ号機の検査用端末機２０の順に、ＲＯＭのプログラムデータを送信する。
【００４６】
１回目のＲＯＭ情報の比較結果を記憶しておくことによって、遊技機島１０ａ中の複数の遊技機１０に関するＲＯＭ情報の全てを管理機４０の管理下におくことができ、遊技機島１０ａ内の遊技機１０やその制御基板１１を別の場所に移動したり、別の遊技機１０や別の制御基板１１と交換したりする不正行為を防止することができる。
【００４７】
図４は検査用端末機２０の動作の流れを表すフロー図である。図４に示すように、検査用端末機２０は管理機４０から検査命令を受けると、その検査命令が最初であるかを判断し（ステップＳ４０１）、最初の検査命令であって（ステップＳ４０１：Ｙ）、また、管理機４０から検査用端末機２０にＲＯＭ情報が送信されると（ステップＳ４０２：Ｙ）、ＲＯＭ情報であるＲＯＭの製造番号、ＩＤを管理機情報記憶手段２２に記憶し（ステップＳ４０３）、ＲＯＭ情報であるプログラムデータを管理機情報記憶手段２３に記憶する（ステップＳ４０４）。次に、検査用端末機２０が遊技機１０に対してＲＯＭ情報の出力要求信号を送信する（ステップＳ４０５）。一方、検査命令が２回目以降であれば（ステップＳ４０１：Ｎ）、直接、ステップＳ４０５に移行し、検査用端末機２０が遊技機１０に対してＲＯＭ情報の出力要求信号を送信する。
【００４８】
遊技機１０は、ＲＯＭ情報の出力要求信号を受信すると、ＲＯＭ情報を検査用端末機２０に送信し、検査用端末機２０は、ＲＯＭ情報（ＲＯＭのプログラムデータ、製造番号、ＩＤ）を受信すると（ステップＳ４０６：Ｙ）、ＲＯＭ情報を遊技機情報記憶手段２４に記憶する（ステップＳ４０７）。
【００４９】
次に、管理機情報記憶手段２２に記憶された正規なＲＯＭの製造番号、ＩＤと、遊技機情報記憶手段２４に記憶されたＲＯＭの製造番号、ＩＤとそれぞれ比較する（ステップＳ４０８）。比較した結果が記憶される（ステップＳ４０９）。ＲＯＭの製造番号、ＩＤのそれぞれが一致しない場合に（ステップＳ４１０：Ｎ）、ＲＯＭ情報は不合格となる（ステップＳ４１１）。
【００５０】
ＲＯＭの製造番号、ＩＤがそれぞれ一致した場合に（ステップＳ４１０：Ｙ）、管理機情報記憶手段２３に記憶された正規なＲＯＭのプログラムデータと、遊技機情報記憶手段２４に記憶されたＲＯＭのプログラムデータと比較する（ステップＳ４１２）。プログラムデータが一致しない場合に（ステップＳ４１２：Ｎ）、ＲＯＭ情報の検査結果は不合格となる（ステップＳ４１１）。
【００５１】
ＲＯＭ情報の検査結果が不合格の場合は、遊技機１０への電源供給を遮断する（ステップＳ４１３）。また、管理機４０からの要求信号が検査用端末機２０に送信されると（ステップＳ４１４：Ｙ）、検査用端末機２０が比較結果を管理機４０に送信する（ステップＳ４１５）。次に、管理機情報記憶手段２２、２３に記憶された不必要なＲＯＭ情報は削除され（ステップＳ４１６）、次回検査を行なう時に、ＲＯＭ情報は再入力されて、管理機情報記憶手段２２、２３に記憶される。次に、遊技機１０のＲＯＭに関するＲＯＭ情報の一連の検査作業が終了したか否かを判断する（ステップＳ４１７）。
【００５２】
一方、プログラムデータが一致した場合に（ステップＳ４１２：Ｙ）、検査用端末機２０の装置番号、遊技機１０の台番号、ＲＯＭの製造番号、ＲＯＭのＩＤ、合格情報を管理機４０へ送信し（ステップＳ４１５）、遊技機情報記憶手段２４から不要なＲＯＭ情報が消去される（ステップＳ４１６）。次に、ステップＳ４１７に移行し、遊技機１０のＲＯＭ１２に関するＲＯＭ情報の一連の検査作業が終わったか否かを判断し、待機モードとなり通信監視状態となる（ステップＳ４１８）。
【００５３】
図５は管理機の動作の流れを表すフロー図である。図５に示すように、初期検査においては、ＲＯＭ情報であるプログラムデータがプログラム入力手段４５に入力されると（ステップＳ５０１：Ｙ）、メモリー４２に保持される（ステップＳ５０２）。また、ＲＯＭ情報であるＲＯＭの製造番号、ＩＤがデータ入力手段４６に入力されると（ステップＳ５０３：Ｙ）、メモリー４３に保持される（ステップＳ５０４）。
【００５４】
初期検査を実行する際は、まず、管理機４０が各検査用端末機２０に対し検査命令をし（ステップＳ５０５）、各検査用端末機２０を待機させ、すべての検査用端末機２０が準備完了すると（ステップＳ５０６：Ｙ）、メモリー４２、４３内のＲＯＭ情報をすべての検査用端末機２０に送信し（ステップＳ５０７）、すべての検査用端末機２０から受信の完了が管理機４０に送信されると（ステップＳ５０８：Ｙ）、管理機４０は、検査開始命令をすべての検査用端末機２０に対して送信する（ステップＳ５０９）。
【００５５】
次に、比較結果の要求信号をすべての検査用端末機２０に送信し（ステップＳ５１０）、すべての検査用端末機２０からの比較結果を受信し（ステップＳ５１１）、比較結果の製造番号、ＩＤに同一番号があるか否かを検査し（ステップＳ５１２）、各検査用端末機２０毎に比較結果をメモリー４４に記憶し（ステップＳ５１３）、各検査用端末機２０毎の比較結果を比較結果出力手段４７から出力する（ステップＳ５１４）。
【００５６】
２回目以降にＲＯＭ情報の検査を行う場合には、外部から入力されたＲＯＭ情報が既にメモリー４２、４３、４４に保持されているから、ステップＳ５０５から開始し、管理機４０が各検査用端末機２０に対し検査命令をする。
【００５７】
【発明の効果】
本発明によれば、遊技店の営業中であっても、管理機からのＲＯＭ情報と遊技機からのＲＯＭ情報とを比較するようにしたので、遊技機のＲＯＭが正規なものであるか否かをいつでも検査することができ、また、複数の遊技機に検査用端末機をそれぞれ対応して配したので、遊技機と検査用端末機との間に配される配線が短くなるから、ノイズ等の影響を受け難くなり、遊技機のＲＯＭを適正に検査することができ、さらに、複数の検査用端末機を１つの管理機でまとめて管理するようにしたので、複数の検査用端末機毎に管理機を設ける必要がなく、設備コストを低減することができ、さらに、管理者等が検査用端末機毎にＲＯＭ情報を入力していく必要がなく、管理工数が減って、管理コストを低減することができる。
【００５８】
また、不正なＲＯＭを発見した場合、電源遮断手段によって遊技機への電源供給を遮断するようにしたので、遊技者や遊技店の不利益となる事態に迅速に対処することができる。さらに、通信監視手段と再検査手段を有することで、営業時間内に故意にＲＯＭや制御基板１１を交換された場合などに迅速に反応し、ＲＯＭの再検査を行うことで、不正なＲＯＭの検出を強化することができる。
【００５９】
さらに、管理コンピュータに、ＲＯＭ情報の比較結果を管理機から送信するようにしたので、管理コンピュータによって、遊技店内の遊技機全部のＲＯＭに関するＲＯＭ情報を管理することができる。さらに、本検査装置を用いて、ＲＯＭから管理機のデータ入力手段にＲＯＭ情報を直接的に入力できるようにしたので、第三者機関による検査に準拠したＲＯＭ情報の検査を行うこともでき、検査時間を短縮することができる。
【００６０】
さらに、比較手段が管理機からのＲＯＭの製造番号と遊技機からのＲＯＭの製造番号とを比較し、ＲＯＭの製造番号が一致した場合に、管理機からのＲＯＭのプログラムデータと遊技機からのＲＯＭのプログラムデータとを比較するようにしたので、より精度の高いＲＯＭ情報の検査をすることができる。さらに、不揮発性の記憶媒体に書き込まれるプログラムデータを含む記憶媒体情報を検査対象としたので、プログラムデータがどのような記憶媒体に書き込まれるものであっても、記憶媒体情報をいつでも適正に検査することができる。
【図面の簡単な説明】
【図１】本発明の一実施の形態に係る検査装置のシステムブロック図である。
【図２】本発明の一実施の形態に係る検査用端末機のブロック図である。
【図３】本発明の一実施の形態に係る管理機のブロック図である。
【図４】本発明の一実施の形態に係る検査用端末機の動作の流れを表すフロー図である。
【図５】本発明の一実施の形態に係る管理機の動作の流れを表すフロー図である。
【図６】本発明に係る検査装置と対比される検査装置の基本ブロック図である。
【符号の説明】
１０…遊技機
１１…制御基板
１２…ＲＯＭ
１０ａ…遊技機島
２０…検査用端末機
２１…ＣＰＵ
２２、２３…管理機情報記憶手段
２４…遊技機情報記憶手段
２６…比較結果出力手段
２７…電源遮断手段
２８…通信監視手段
２９…通信インターフェイス
３０…通信インターフェイス
４０…管理機
４２、４３、４４…メモリー
４５…プログラム入力手段（入力手段）
４６…データ入力手段（入力手段）
４７…比較結果出力手段
４８…比較結果送信手段
４９…通信インターフェイス
５１…表示装置
１００…管理コンピュータ
２００…報知機
【図１】
2004173798.tif 000003
【図２】
2004173798.tif 000004
【図３】
2004173798.tif 000005
【図４】
2004173798.tif 000006
【図５】
2004173798.tif 000007
【図６】
2004173798.tif 000008